(57)【要約】【課題】遮光層の形成が容易な樹脂性光学部品の製造方法を提供する。【解決手段】光透過性の高い樹脂の内部の任意の位置にレーザ光５の焦点を結ばせ、エネルギーを集中することで、樹脂の炭化による微小な点状の変色部６を生じさせる。この微小な点状の変色部６を多数、樹脂内部に形成することで、光透過性の高い樹脂内部に光吸収性の高い遮光壁７を形成する。この遮光壁により、レンズに対して斜めに入射した光がレンズアレイプレートの厚み方向を通過して、近接するレンズの出射側から出射する迷光を除去できる。【選択図】      図２
2005010442.tif 000002
【特許請求の範囲】
【請求項１】
必要波長帯の光に対して透過性の高い樹脂で形成された樹脂性光学部品において、
前記樹脂の内部において、樹脂の吸収波長帯にあるエネルギーによって変色した樹脂部分が、光吸収性の高い部位を形成していることを特徴とする樹脂性光学部品。
【請求項２】
前記樹脂性光学部品は、球面あるいは非球面の微小凸レンズが形成された樹脂レンズであり、前記光吸収性の高い部位は、光を透過する領域外の樹脂の内部に形成され、迷光を除去する遮光壁をなすことを特徴とする、請求項１に記載の樹脂性光学部品。
【請求項３】
前記樹脂性光学部品は、球面あるいは非球面の微小凸レンズが、平板上に所定のピッチで配列された樹脂レンズアレイプレートであり、前記光吸収性の高い部位は、近接する微小凸レンズ間の樹脂の内部に形成され、迷光を除去する遮光壁をなすことを特徴とする、請求項１に記載の樹脂性光学部品。
【請求項４】
前記樹脂性光学部品は、球面あるいは非球面の微小凸レンズが、平板上に所定のピッチで配列された樹脂レンズアレイプレートであり、前記光吸収性の高い部位は、近接する微小凸レンズ外周間の樹脂の内部に形成され、迷光を除去する遮光壁をなすことを特徴とする、請求項１に記載の樹脂性光学部品。
【請求項５】
前記遮光壁は、レンズ側表面から、前記樹脂レンズアレイプレートの厚さ方向に、厚さの１／３以上にわたって形成されている、請求項３または４に記載の樹脂性光学部品。
【請求項６】
前記樹脂は、シクロオレフィン系樹脂，オレフィン系樹脂，またはノルボルネン系樹脂である、請求項１〜５のいずれかに記載の樹脂性光学部品。
【請求項７】
必要波長帯の光に対して透過性の高い樹脂よりなる樹脂性光学部品の製造方法において、
前記樹脂の内部に、エネルギー供給手段から樹脂の吸収波長帯にあるエネルギーを供給し、供給したエネルギーによって前記樹脂の一部を変色させ、光吸収性の高い部位を形成することを特徴とする樹脂性光学部品の製造方法。
【請求項８】
前記エネルギーは、光線または放射線であることを特徴とする、請求項７に記載の樹脂性光学部品の製造方法。
【請求項９】
前記エネルギーは、レーザ光であることを特徴とする、請求項８に記載の樹脂性光学部品の製造方法。
【請求項１０】
前記樹脂性光学部品は、球面あるいは非球面の微小凸レンズが形成された樹脂レンズであり、前記光吸収性の高い部位は、光を透過する領域外の樹脂の内部に形成され、迷光を除去する遮光壁をなすことを特徴とする、請求項７に記載の樹脂性光学部品の製造方法。
【請求項１１】
前記樹脂性光学部品は、球面あるいは非球面の微小凸レンズが、平板上に所定のピッチで配列された樹脂レンズアレイプレートであり、前記光吸収性の高い部位は、近接する微小凸レンズ間の樹脂の内部に形成され、迷光を除去する遮光壁をなすことを特徴とする、請求項７に記載の樹脂性光学部品の製造方法。
【請求項１２】
前記樹脂性光学部品は、球面あるいは非球面の微小凸レンズが、平板上に所定のピッチで配列された樹脂レンズアレイプレートであり、前記光吸収性の高い部位は、近接する微小凸レンズ外周間の樹脂の内部に形成され、迷光を除去する遮光壁をなすことを特徴とする請求項７に記載の樹脂性光学部品の製造方法。
【請求項１３】
前記遮光壁は、レンズ側表面に始まり、前記樹脂レンズアレイプレートの厚さ方向に、厚さの１／３以上にわたって形成されている、請求項１１または１２に記載の樹脂性光学部品の製造方法。
【請求項１４】
前記樹脂は、シクロオレフィン系樹脂，オレフィン系樹脂，またはノルボルネン系樹脂である、請求項７〜１３のいずれかに記載の樹脂性光学部品の製造方法。
【発明の詳細な説明】
【０００１】
【発明の属する技術分野】
本発明は、樹脂性光学部品およびその製造方法、特に、樹脂レンズアレイプレートおよびその製造方法に関する。
【０００２】
【従来の技術】
従来、開口絞りや迷光対策のための遮光機能を備えた光学部品である樹脂レンズアレイプレートとしては、近接する微小レンズの間に光吸収性膜による遮光層が形成された構造のものや、微小レンズ面に対向する面に遮光層が形成された構造のものが知られている。
【０００３】
この遮光層の形成方法には、光吸収性剤を含むフォトレジストを使用してフォトリソグラフィ法で形成する方法、光吸収性塗料をレンズ面全面に塗布し、レンズ部の光吸収性塗料のみを除去して形成する方法（特許文献１，２参照）、遮光層を形成する部位に、光吸収性塗料をインクジェット方式で塗布して形成する方法（特許文献３参照）、遮光層を形成する部位に溝を形成し、この溝に光吸収性塗料を充填して形成する方法などが提案されている。
【０００４】
【特許文献１】
特開２００１−３１１８０２
【特許文献２】
特開２００２−２７７６１０
【特許文献３】
特開２００１−３３０７０９
【０００５】
【発明が解決しようとする課題】
しかしながら、従来技術には、レンズアレイプレートの表面，対向面に設けた遮光層では効果的な迷光除去が得られないという問題点があった。
【０００６】
その理由は、レンズ周辺および近接するレンズの間、あるいはレンズ面に対向する面に遮光層を形成した場合、レンズ領域外から入射される光の除去や、レンズに対して斜めに入射した光がレンズ領域外から出射される光の除去には有効であるが、レンズに対して斜めに入射した光がレンズアレイプレートの厚み方向を通過して、近接するレンズの出射側から出射する迷光は除去できないからである。このため、このようなレンズアレイプレートを用いた表示装置などでは、ゴースト像が生じたり、解像度が悪いといった問題を生じる。
【０００７】
また、溝に光吸収性塗料を充填して遮光層を形成する方法は、工程が複雑になるという問題がある。
【０００８】
したがって、本発明の目的は、上述したような問題を解決し、迷光を効果的に除去できる樹脂性光学部品を提供することにある。
【０００９】
本発明の他の目的は、遮光層の形成が容易な樹脂性光学部品の製造方法を提供することにある。
【００１０】
【課題を解決するための手段】
本発明の第１の態様は、樹脂光学部品である。この樹脂光学部品は、必要波長帯の光に対して透過性の高い樹脂で形成され、樹脂の内部において、樹脂の吸収波長帯にあるエネルギーによって変色した樹脂部分が、光吸収性の高い部位を形成している。
【００１１】
本発明の第２の態様は、必要波長帯の光に対して透過性の高い樹脂よりなる樹脂性光学部品の製造方法である。この製造方法によれば、樹脂の内部に、エネルギー供給手段から樹脂の吸収波長帯にあるエネルギーを供給し、供給したエネルギーによって樹脂の一部を変色させ、光吸収性の高い部位を形成する。
【００１２】
【発明の実施の形態】
以下、本発明の樹脂性光学部品である樹脂レンズアレイプレートの実施の形態を説明する。
【００１３】
図１（Ａ），（Ｂ）は、本発明に関わる、立体像や２次元画像の空中表示装置、スクリーンへの画像投影装置、受光素子や感光体に画像を結蔵させる画像伝達装置に用いる正立レンズアレイを構成する長方形の樹脂レンズアレイプレート１０の平面図およびＸ−Ｘ線断面図である。
【００１４】
この樹脂レンズアレイプレート１０を構成するプレート本体１の材質は、射出成型に使用可能で、必要波長帯の光に対して光透過性が高く、吸水性の低いものが望ましい。本実施の形態では、シクロオレフィン系樹脂を用いる。プレートの両面の中央部にレンズ形成領域をそれぞれ有し、球面の微小凸レンズ２が稠密構造に配列されている。図示の例では、レンズ周辺部での収差を少なくできて、伝達光量が大きくなる六方配列の場合を示す。六方配列は、１個の微小凸レンズから見た場合に６つの方向に延びる配列であり、微小凸レンズの形状は、正六角形である。
【００１５】
また、レンズアレイプレート本体１の両面に形成された微小凸レンズ２の光軸の配置は両面で一致するようになっている。
【００１６】
近接する微小凸レンズ間の樹脂の内部には、光吸収性の高い部位が形成され、この部位が迷光を除去する遮光壁７をなす。遮光壁７は、隣り合う微小凸レンズ２の中心を結ぶ線分の垂直二等分線に沿い、すなわち微小凸レンズの境界位置に、幅約０．０５ｍｍ、表面から約０．１ｍｍの深さまでの範囲に形成されている。
【００１７】
遮光壁７の深さは、レンズアレイプレート本体の厚さの１／３以上であることが要求される。１／３未満の厚さであると、迷光の漏れを生じるからである。
【００１８】
レンズアレイプレート本体１の表面には、樹脂レンズアレイプレート１０の反射率を低減させるために低反射被膜３が形成されている。低反射被膜は、レンズアレイプレート本体１よりも屈折率の小さい材料が使用できる。シリカ化合物のほかに、例えば、フッ素系樹脂なども用いられる。
【００１９】
プレート本体１の片面のレンズ形成領域外には、レンズ以外から入射される迷光を防止するための光吸収性膜４によるマスキングが形成されている。マスキングは両面に形成してもよい。この場合、より効果的なレンズ形成領域外の迷光を防止する効果が得られる。
【００２０】
なお、以上の実施の形態では、低反射被膜３および光吸収性膜１４を形成しているが、これらは必ずしも必要なものではない。
【００２１】
以上のような構成の樹脂レンズアレイプレート１０によれば、近接する微小凸レンズ間の樹脂の内部に光吸収性の高い部位が形成され、この部位が迷光を除去する遮光壁をなすことから、レンズに対して斜めに入射する迷光を効果的に除去できる。
【００２２】
以上の実施の形態では、シクロオレフィン系樹脂を用いて樹脂レンズアレイプレートを作製したが、その他の樹脂としては、オレフィン系樹脂やノルボルネン系樹脂なども使用できる。それぞれの樹脂の市販品としては、日本ゼオン社製のゼオネックス（登録商標）やゼオノア（登録商標）、あるいはＪＳＲ社製のアートン（登録商標）などがある。
【００２３】
また、微小凸レンズ形状を球面としたが、非球面形状も考えられる。
【００２４】
また、微小凸レンズの配列は、四方配列の稠密構造配列としてもよい。四方配列は、１個の微小凸レンズから見た場合に４つの方向に延びる配列であり、微小凸レンズの形状は正方形である。
【００２５】
さらには、微小凸レンズ配列は、稠密構造配列ではなく、レンズ間に間隙がある非稠密構造の配列でもよい。この場合、微小凸レンズの形状は、代表的には円形であるから、これに限られるものではない。レンズ間に間隙がある非稠密構造の配列の場合には、微小凸レンズの外周間に遮光壁を形成することもできる。
【００２６】
また、微小凸レンズは、樹脂レンズプレートの両面に形成される形態以外に、片面に形成される形態もある。
【００２７】
また、レンズは、半円柱状（かまぼこ状）の形状で、樹脂レンズアレイプレートの外辺に対して平行、あるいは所定の角度をもって配置される構造でもよい。
【００２８】
また、レンズ形成領域以外の迷光を防止する方法としては、光吸収性の開口枠を設ける形態もある。
【００２９】
次に、図１で説明した樹脂レンズアレイプレート１の製造方法について説明する。
【００３０】
まず、樹脂レンズアレイプレート本体１を、射出成型で作製する。本実施の形態では、シクロオレフィン系樹脂を用いて、レンズアレイプレート本体１を作製する。図２は、作製されたレンズアレイプレート本体１の一部分を示す。
【００３１】
射出成型により作製されたレンズアレイプレート本体１は、プレートの両面の中央部にレンズ形成領域をそれぞれ有し、球面の微小凸レンズ２が配置されている。
【００３２】
次に、レンズアレイプレート本体１の内部への遮光壁を形成する。図３（Ａ），（Ｂ）に、その形成方法を示す。（Ａ）は平面図、（Ｂ）は断面図である。
【００３３】
樹脂を変色させるエネルギーには、樹脂の吸収波長帯にあるエネルギーを用いる。本実施の形態では、レーザ光を用いる。光透過性の高い樹脂の内部の任意の位置にレーザ光の焦点を結ばせ、エネルギーを集中することで、樹脂の炭化による微小な点状の変色を生じさせる。
【００３４】
微小凸レンズ２が六方稠密構造配置されている場合、図３に示すように、レンズの境界位置に、レーザ光５を照射する。エネルギー供給源としてＹＶＯ４  レーザ発振器を使用し、波長５３２ｎｍのレーザ光を用いる。レーザの照射条件は、出力０．７〜１．７ｋＷ、周波数１０〜１００ｋＨｚのパルス発振とするのが好ましい。本実施の形態では、出力１ｋＷ、周波数２０ｋＨｚとし、ビームスポット径φ０．０１ｍｍに集光したレーザ光を、樹脂レンズアレイプレート本体１の中心深さの位置に焦点を結ばせる。
【００３５】
レーザ光を、走査速度８００ｍｍ／ｓｅｃで数回繰り返し走査させながら照射することで、遮光壁を形成する部位に、多数の微小な点状の樹脂炭化による変色部６を形成する。
【００３６】
変色部６は、レーザ光の焦点を結ばせた位置を中心に、照射光軸の手前側と奥側に分布して形成される。この微小な点状の変色部６を多数、樹脂内部に形成することで、光透過性の高い樹脂内部に光吸収性の高い遮光壁７を形成する。
【００３７】
形成された遮光壁の幅は、約０．０５ｍｍ、表面からの深さは、約０．１ｍｍである。この深さは、プレート本体の厚さの１／３以上である。
【００３８】
レンズ間に間隙がある非稠密構造の配置の場合には、微小凸レンズの外形に沿って遮光壁を形成することになる。
【００３９】
次に、図４に示すように、樹脂レンズアレイプレート本体１の表面に、樹脂レンズアレイプレートの反射率を低減させるために低反射被膜３を形成する。ここでは、特開２００１−１４７３０４号公報に開示されている方法で、レンズアレイプレート本体１の表面にシリカ化合物被膜による低反射被膜を形成する。
【００４０】
次に、図５に示すように、レンズアレイプレート本体１の片面のレンズ形成領域の外には、レンズ以外から入射される迷光を防止するために、光吸収性膜４によるマスキングを形成する。この場合、光吸収性膜には、光反応性の材料、例えばカーボンを含有する黒色レジストを用い、レンズプレート本体のレンズ形成領域を含む領域、あるいは全面に光吸収性膜を形成した後に、フォトリソグラフィ法により、レンズ形成領域外のマスキングを形成する。
【００４１】
本実施の形態では、レンズアレイプレートの形成に射出成型を用いたが、これに限るものではなく、押し出し成型にてプレートを作り、エンボス法によって両面に微小凸レンズを形成してもよい。この場合には、押し出し成型にて作製されたプレートに、レーザ光により遮光壁を作り、その後にエンボス法によって、微小凸レンズを形成してもよい。
【００４２】
なお、低反射被膜および光吸収性膜を必要としない場合には、これらの形成工程は不要である。
【００４３】
【発明の効果】
本発明によれば、樹脂レンズアレイプレートの樹脂内部に、エネルギーによって変色した部位によって構成された遮光壁が形成されているので、レンズに対して斜めに入射した光は、遮光壁により遮られて、近接するレンズに迷光として入射しない。このように迷光を効果的に除去できるので、本発明の樹脂レンズアレイプレートを用いた表示装置などでは、ゴースト像が生じたり、解像度が悪いといった問題を生じない。
【００４４】
また、本発明の製造方法によれば、レーザ光などのエネルギーを樹脂内に照射することによって、遮光壁を形成しているので、複雑な工程を経ることなく簡単に形成することができる。
【図面の簡単な説明】
【図１】本発明の樹脂レンズアレイプレートの平面図および断面図である。
【図２】樹脂レンズアレイプレート本体の一部の平面図である。
【図３】遮光壁の形成を説明するための平面図および断面図である。
【図４】低反射被膜の形成を説明するための断面図である。
【図５】マスキングの形成を説明するための平面図である。
【符号の説明】
１  レンズアレイプレート本体
２  微小凸レンズ
３  低反射被膜
４  光吸収性膜
５  レーザ光
６  変色部
７  遮光壁
１０  樹脂レンズアレイプレート
【図１】
2005010442.tif 000003
【図２】
2005010442.tif 000004
【図３】
2005010442.tif 000005
【図４】
2005010442.tif 000006
【図５】
2005010442.tif 000007